(57)【特許請求の範囲】
【請求項１】
粒径８０μｍ以下の植物繊維の乾燥粉末からなる、化石燃料と共に燃焼するための二酸化炭素吸着剤。
【請求項２】
前記植物繊維が、ヤシ殻、木材、竹材およびヤシ繊維から選ばれる少なくとも１種の植物繊維であることを特徴とする、請求項１に記載の化石燃料と共に燃焼するための二酸化炭素吸着剤。
【請求項３】
前記植物繊維の乾燥粉末が、植物繊維の圧縮乾燥粉末であることを特徴とする請求項１又は２に記載の化石燃料と共に燃焼するための二酸化炭素吸着剤。
【請求項４】
前記植物繊維の圧縮乾燥粉末が、挟雑成分を植物繊維から除去し、その水分含量が１０％未満になるように乾燥し、その乾燥物を圧縮比４：１〜６：１で圧縮し、これを粉砕して粒径１〜８０μｍの粉末とした後、その粉末の水分含量が５重量％未満になるように乾燥して得られる粉末であることを特徴とする、請求項３に記載の化石燃料と共に燃焼するための二酸化炭素吸着剤。
【請求項５】
前記化石燃料が重油であることを特徴とする、請求項１〜４のいずれか１項に記載の化石燃料と共に燃焼するための二酸化炭素吸着剤。
【請求項６】
０．１〜５重量％の植物繊維の乾燥粉末であって、粒径８０μｍ以下からなるものを含有することを特徴とする化石燃料。
【請求項７】
前記植物繊維が、ヤシ殻、木材、竹材およびヤシ繊維から選ばれる少なくとも１種の植物繊維であることを特徴とする、請求項６に記載の化石燃料。
【請求項８】
前記植物繊維の乾燥粉末が、植物繊維の圧縮乾燥粉末であることを特徴とする請求項６又は７に記載の化石燃料。
【請求項９】
前記植物繊維の圧縮乾燥粉末が、挟雑成分を植物繊維から除去し、その水分含量が１０％未満になるように乾燥し、その乾燥物を圧縮比４：１〜６：１で圧縮し、これを粉砕して粒径１〜８０μｍの粉末とした後、その粉末の水分含量が５重量％未満になるように乾燥して得られる粉末であることを特徴とする、請求項８に記載の化石燃料。
【請求項１０】
前記化石燃料が重油であることを特徴とする、請求項６〜９のいずれか１項に記載の化石燃料。
【請求項１１】
化石燃料に植物繊維の乾燥粉末であって、粒径８０μｍ以下からなるものを含有させる工程を含む、化石燃料を燃焼する際に化石燃料から排出される二酸化炭素の量を減少させる化石燃料の製造方法。
【請求項１２】
前記植物繊維の乾燥粉末が、植物繊維の圧縮乾燥粉末であることを特徴とする請求項１１に記載の、化石燃料を燃焼する際に化石燃料から排出される二酸化炭素量を減少させる化石燃料の製造方法。
【発明の詳細な説明】
【技術分野】
【０００１】
本発明は、植物繊維の乾燥粉末を含む、化石燃料の燃焼時の二酸化炭素吸着剤、また、そのような植物繊維の乾燥粉末を含有することを特徴とする化石燃料に関するものである。
【背景技術】
【０００２】
大量のエネルギーが消費される現代社会では、極めて多くの化石燃料がエネルギー源として日々使用されている。化石燃料からエネルギーを取り出す際には、化石燃料を燃焼させる必要があるが、それを燃焼させると、大量の二酸化炭素が大気中に放出される。
２０世紀以降、地球の大気中の二酸化炭素濃度は増加の一途をたどっており、それが地球温暖化を加速する大きな要因の一つとされている。地球温暖化は、地球全体の生態系に危機的な状況をもたらすことが予想されており、これを回避するにも、二酸化炭素の排出量の削減は全人類にとって極めて重要な課題である。【０００３】
一方、ヤシの中果皮に含まれる繊維の乾燥粉末を生分解性プラスチックに配合することにより、生分解性が向上した生分解性プラスチックが知られている（特許文献１参照）。
しかし、植物繊維の乾燥粉末を用いることによって、化石燃料を燃焼した場合に化石燃料から排出される二酸化炭素量が低減することは知られていなかった。
【特許文献１】特開平９−２６３７００号
【発明の開示】
【発明が解決しようとする課題】
【０００４】
本発明は上記観点からなされたものであり、植物繊維の乾燥粉末を含む、化石燃料の燃焼時の二酸化炭素吸着剤、また、そのような植物繊維の乾燥粉末を含有することを特徴とする化石燃料を提供することを目的とする。
【課題を解決するための手段】
【０００５】
本発明者らは、上記の課題を解決するために鋭意検討を重ねた結果、植物繊維の乾燥粉末を用いることにより、上記目的を達成し得ることを見出し、これらの知見に基づいて、本発明を完成するに至った。
すなわち、本発明の要旨は以下の通りである。
（１）植物繊維の乾燥粉末を含む、化石燃料の燃焼時の二酸化炭素吸着剤。
（２）前記植物繊維が、ヤシ殻、木材、竹材およびヤシ繊維から選ばれる少なくとも１種の植物繊維であることを特徴とする、請求項１に記載の化石燃料の燃焼時の二酸化炭素吸着剤。
（３）前記植物繊維の乾燥粉末が、植物繊維の圧縮乾燥粉末であることを特徴とする（１）又は（２）に記載の化石燃料の燃焼時の二酸化炭素吸着剤。
（４）前記植物繊維の圧縮乾燥粉末が、挟雑成分を植物繊維から除去し、その水分含量が１０％未満になるように乾燥し、その乾燥物を圧縮比４：１〜６：１で圧縮し、これを粉砕して粒径１〜８０μｍの粉末とした後、その粉末の水分含量が５重量％未満になるように乾燥して得られる粉末であることを特徴とする、（３）に記載の化石燃料の燃焼時の二酸化炭素吸着剤。
（５）前記化石燃料が重油であることを特徴とする、（１）〜（４）のいずれか１つに記載の化石燃料の燃焼時の二酸化炭素吸着剤。
（６）０．１〜５重量％の植物繊維の乾燥粉末を含有することを特徴とする化石燃料。
（７）前記植物繊維が、ヤシ殻、木材、竹材およびヤシ繊維から選ばれる少なくとも１種の植物繊維であることを特徴とする、（６）に記載の化石燃料。
（８）前記植物繊維の乾燥粉末が、植物繊維の圧縮乾燥粉末であることを特徴とする（６
）又は（７）に記載の化石燃料。
（９）前記植物繊維の圧縮乾燥粉末が、挟雑成分を植物繊維から除去し、その水分含量が１０％未満になるように乾燥し、その乾燥物を圧縮比４：１〜６：１で圧縮し、これを粉砕して粒径１〜８０μｍの粉末とした後、その粉末の水分含量が５重量％未満になるように乾燥して得られる粉末であることを特徴とする、（８）に記載の化石燃料。
（１０）前記化石燃料が重油であることを特徴とする、（６）〜（９）のいずれか１つに記載の化石燃料。
（１１）化石燃料に植物繊維の乾燥粉末を含有させることによって、化石燃料を燃焼した場合に化石燃料から排出される二酸化炭素の量を減少させる方法。
（１２）前記植物繊維の乾燥粉末が、植物繊維の圧縮乾燥粉末であることを特徴とする（１１）に記載の、化石燃料を燃焼した場合に化石燃料から排出される二酸化炭素量を減少させる方法。
【発明の効果】
【０００６】
本発明の植物繊維の乾燥粉末は、化石燃料の燃焼時に化石燃料から排出される二酸化炭素量を低減するという利点がある。
【発明を実施するための最良の形態】
【０００７】
以下、本発明を詳細に説明する。
＜１＞本発明の植物繊維の乾燥粉末を含む、化石燃料の燃焼時の二酸化炭素吸着剤
本発明の植物繊維の乾燥粉末を含む、化石燃料の燃焼時の二酸化炭素吸着剤は、化石燃料の燃焼時に化石燃料から排出される二酸化炭素を吸着して、排出される二酸化炭素量を低減する。【０００８】
本発明の化石燃料の燃焼時の二酸化炭素吸着剤は、植物繊維の乾燥粉末を含んでいる。この植物繊維の乾燥粉末は、植物繊維を乾燥した粉末であれば特に制限はない。
ここでいう植物繊維とは、植物繊維を含む物質であれば特に制限はないが、ヤシ殻、木材、竹材およびヤシ繊維が好ましく、ヤシ殻およびヤシ繊維が特に好ましい。これらの繊維は、化石燃料の燃焼時に化石燃料から排出される二酸化炭素量の低減作用に優れるからである。ここで、木材および竹材の種類は、化石燃料の燃焼時に化石燃料から排出される二酸化炭素量の低減作用が得られる限り、特に制限はない。木材としては、例えばスギなどを好適に用いることができる。また、化石燃料の燃焼時に化石燃料から排出される二酸化炭素量の低減作用が得られる限り、ヤシ殻およびヤシ繊維のヤシは、ココヤシの他、ナツメヤシ、ニッパヤシ等いずれのヤシであってもよいが、ココヤシが好ましい。【０００９】
本発明の植物繊維の乾燥粉末は、植物繊維の圧縮乾燥粉末でなくてもよいが、植物繊維の圧縮乾燥粉末であることが好ましい。圧縮すると、植物繊維の乾燥粉末中の植物繊維の密度が増加し、燃焼時に粉末に生じるミクロの穴がしっかり形成されるため、二酸化炭素の吸着作用が向上する場合があるからである。植物繊維の圧縮乾燥粉末を得る工程については特に制限はなく、それを製造するいずれかの段階で、例えばプレス機等を用いて圧縮することができる。
【００１０】
植物繊維の乾燥粉末を製造する際に用いる植物繊維は、植物繊維以外の挟雑成分を含んでいてもよいが、挟雑成分が少ない方が好ましい。このような植物繊維を用いる方が、化石燃料の燃焼時に化石燃料から排出される二酸化炭素量の低減作用に優れるからである。ここで、挟雑成分とは、植物繊維を含む物質において、植物繊維以外の成分をいい、例えば塩分、タンニンなどが含まれる。挟雑成分の除去方法は、挟雑成分が除去できる方法であれば特に制限はないが、例えば、ココヤシのココナツの中果皮の繊維を用いる場合は、例えば、ココナツの中果皮を約１０〜１６ヶ月間、真水に晒し肉質を溶解後、繊維のみを採取し、これを天日に約２年以上晒すことによって、含有する塩分やタンニン等の挟雑成分を除くことができる。なお、挟雑成分の除去や乾燥は、植物繊維の圧縮乾燥粉末を製造するいずれの段階で行ってもよく、例えば、植物繊維の圧縮や粉砕の前や、その後などに行うことができる。
【００１１】
本発明の植物繊維の乾燥粉末の製造方法は、化石燃料の燃焼時に化石燃料から排出される二酸化炭素量の低減作用が得られる限り、特に制限はないが、例えば、植物繊維を含む物質をハンマーミル、ボールミル、ジェットミル、石うす等で粉末化することに製造することができる。植物繊維を含む物質の水分含量が多い場合は、粉末化する前又は粉末化した後に乾燥させればよい。乾燥の手段については特に制限はなく、自然乾燥であっても、電力等を利用した熱風により乾燥させてもよい。本発明の植物繊維の乾燥粉末は、その水分含量が１０重量％以上であってもよいが、水分含量が１０重量％未満であることが好ましく、５重量％未満であることがより好ましい。【００１２】
また、本発明の植物繊維の乾燥粉末は、粒径８０μｍ以上であってもよいが、粒径８０μｍ未満であることが好ましく、１５μｍ未満であることがより好ましく、１０μｍ未満であることがさらに好ましく、５μｍ未満であることがより好ましく、３μｍ未満であることが最も好ましい。粒径の小さい植物繊維の乾燥粉末を用いると、植物繊維の乾燥粉末一定重量当たりの二酸化炭素低減効果が向上するからである。
【００１３】
植物繊維の乾燥粉末をある一定の粒径以下にする方法は特に制限はない。例えば、乾燥した植物繊維を粉末化した後、４００メッシュの網目を用いて篩にかけると、粒径が１５μｍ以下の植物繊維の乾燥粉末が得られる。それより細かい植物繊維の乾燥粉末を得るためには、例えば、底部と側面部と蓋部からなり、底部および側面に穴部を有する容器を準備し、その容器の穴部ではない部分の底部に、上記の方法で得られた植物繊維の乾燥粉末を置き、容器の底部の穴部から送風しながら、側面の穴部から容器内部の気体を吸い取ることによって、１５μｍ未満の乾燥粉末を選別することができる。
【００１４】
ここで、容器の側面の穴部は、底部より高い位置にあり、容器の底部の穴部から送風しながら、側面の穴部から容器内部の気体を吸い取ることによって選別前の植物繊維の乾燥粉末より小さい、所定の粒径以下のものを選別することができる限り、容器の穴部の形状、大きさ等は特に制限はない。【００１５】
容器の底部に送り込む風の強さや、底部から側面の穴部までの高さを調節することにより、例えば、１５μｍ未満、１０μｍ未満、５μｍ未満、３μｍ未満、又は１μｍ未満等の乾燥粉末を選別することができる。
容器の底部から送り込む風の強さについては、目的とする植物繊維の乾燥粉末の粒径や、容器の底部から側面の穴部までの高さ、容器や穴部の形状等により左右されるため、一概
には言えないが、底部から送風した場合に、選別前の乾燥粉末が容器内で舞い上がる高さが、その粒径に応じて容器内で適度に分散する（大きい粒径の乾燥粉末は、あまり高く舞い上がらず、小さな粒径の乾燥粉末は容器内で比較的高く舞い上がる）ように調節すればよい。このような調節は、試行錯誤を何度か繰り返すことにより、比較的容易に行うことができると考えられる。
【００１６】
また、底部と側面部と蓋部からなり、底部および側面に穴部を有する容器であって、上記のように植物繊維の乾燥粉末の選別に用いうる限り、容器の形状に特に制限はなく、円柱等の柱状、球状、立方体等のいずれの形状であってもよい。また、容器の材質も、上記のように植物繊維の乾燥粉末の選別に用いうる限り、特に制限はない。【００１７】
ココヤシの繊維を用いる場合も、他の植物繊維を用いる場合と同様に、上述の製造法を利用することができるが、挟雑成分を植物繊維から除去し、その水分含量が１０％未満になるように乾燥し、その乾燥物を圧縮比４：１〜６：１（好ましくは６：１）で圧縮し、これを粉砕して粒径１〜８０μｍの粉末とした後、その粉末の水分含量が５重量％未満になるように乾燥することが特に好ましい。
本発明の植物繊維の乾燥粉末は、化石燃料の燃焼時に排出される二酸化炭素量を低減するために用いられるが、ここでいう化石燃料は、本発明の植物繊維の乾燥粉末と共に燃焼させるとその化石燃料から排出される二酸化炭素量が低減するものであれば特に制限はなく、例えば、原油、重油、軽油、灯油、ガソリン、石油ガス、天然ガス、石炭等が挙げられる。その中でも、原油、重油、軽油、灯油、ガソリンが好ましく、重油が特に好ましい。
【００１８】
化石燃料の燃焼時に化石燃料から排出される二酸化炭素量が低減されるという本発明の効果は、以下のような理由で得られると推定される。
本発明の植物繊維の乾燥粉末には、微量の水分が含まれている。本発明の植物繊維の乾燥粉末が化石燃料と共に燃焼する際に、この水分が瞬間的に蒸発し、植物繊維の乾燥粉末に真空状態のミクロの穴が無数に生じる。植物繊維の乾燥粉末の燃焼により生じた二酸化炭素分子の一部は、上述のミクロの穴に吸着され、結果として、植物の乾燥粉末の燃焼時に大気中に放出される二酸化炭素量を、例えば５０％以上削減することができる。
したがって、後述の本願実施例で用いた重油以外の化石燃料を用いた場合も、重油を用いた場合と同様に、化石燃料の燃焼時に化石燃料から排出される二酸化炭素量が低減することが予測される。【００１９】
ここで、化石燃料の燃焼時に化石燃料から排出される二酸化炭素量が低減するとは、本発明の植物繊維の乾燥粉末を含む、化石燃料の燃焼時の二酸化炭素吸着剤を加えること以外は同様の条件で化石燃料を燃焼させた場合に、本発明の植物繊維の乾燥粉末を含む、化石燃料の燃焼時の二酸化炭素吸着剤を加えた方が、加えなかった方に比べて、化石燃料から排出される二酸化炭素の量が少ないことを意味する。【００２０】
なお、微細孔構造をすでに有している通常の活性炭を微粉末に加工すると、微細孔構造が破壊され、吸着能力が著しく低下してしまう。一方、本発明の植物繊維の乾燥粉末は、植物繊維を粉末にした後で微細孔構造を作製する点に特徴があり、その結果、通常の活性炭等に比べて、１ｇ当たりの吸着面積が著しく広いものが得られる。なお、本発明の植物繊維の乾燥粉末を含む、化石燃料の燃焼時の二酸化炭素吸着剤は、前述したような植物繊維の乾燥粉末を含んでさえいれば、特に制限はなく、例えば、前述したような植物繊維の乾燥粉末のみから成るものであってもよい。また、化石燃料の燃焼時に排出される二酸化炭素量が低減される効果が妨げられない限り、植物繊維の乾燥粉末以外の他の任意の成分を含んでいてもよい。本発明の化石燃料の燃焼時の二酸化炭素吸着剤の製造方法は、化石燃料の燃焼時に排出される二酸化炭素量が低減される効果が妨げられない限り、特に制限はない。
【００２１】
本発明の植物繊維の乾燥粉末を含む、化石燃料の燃焼時の二酸化炭素吸着剤の使用方法は、化石燃料の燃焼時に排出される二酸化炭素量が低減される方法であれば特に制限はないが、例えば、本発明の植物繊維の乾燥粉末を含む、化石燃料の燃焼時の二酸化炭素吸着剤と化石燃料とを予め混合した後でその混合物を燃焼してもよく、化石燃料の燃焼とほぼ同時に本発明の植物繊維の乾燥粉末を含む、化石燃料の燃焼時の二酸化炭素吸着剤をそこに添加してもよく、また、化石燃料がすでに燃焼しているところに、本発明の植物繊維の乾燥粉末を含む、化石燃料の燃焼時の二酸化炭素吸着剤を添加してもよい。また、本発明の植物繊維の乾燥粉末を含む、化石燃料の燃焼時の二酸化炭素吸着剤は、化石燃料の燃焼時に添加する酸素を含んだ気体に混合し、混合気体として化石燃料に添加しなくてもよいが、そのような混合気体として添加してもよい。【００２２】
本発明の植物繊維の乾燥粉末を含む、化石燃料の燃焼時の二酸化炭素吸着剤の使用量は特に制限はないが、二酸化炭素吸着剤中の植物繊維の乾燥粉末が化石燃料に対し、通常０．１〜５重量％、好ましくは０．３〜１．０重量％となるような範囲内の量を用いることができる。植物繊維の乾燥粉末の添加量が少なすぎると、化石燃料の燃焼時に排出される二酸化炭素量の低減効果が十分ではない場合があり、多すぎるとその効果が頭打ちになる場合があるからである。【００２３】
本発明の植物繊維の乾燥粉末を含む、化石燃料の燃焼時の二酸化炭素吸着剤は、特に不都合がない限り、化石燃料を燃焼して用いている様々な設備で用いることができる。例えば、重油又は石炭を燃料として使用する火力発電所、船舶等、灯油を燃料として使用する暖房機器、軽油を燃料として使用するディーゼルエンジン、ガソリンを燃料として使用するエンジン等に利用しうる。【００２４】
＜２＞本発明の植物繊維の乾燥粉末を含有することを特徴とする化石燃料
本発明の別の態様は、本発明の植物繊維の乾燥粉末を含有することを特徴とする化石燃料である。ここでいう本発明の植物繊維の乾燥粉末および化石燃料は、＜１＞に前述した通りである。【００２５】
本発明の化石燃料は、化石燃料に対し、本発明の植物繊維の乾燥粉末を、通常０．１〜５重量％、好ましくは０．３〜１．０重量％含有している。植物繊維の乾燥粉末の添加量が少なすぎると、化石燃料の燃焼時に排出される二酸化炭素量の低減効果が十分ではない場合があり、多すぎるとその効果が頭打ちになる場合があるからである。【００２６】
また、本発明の化石燃料は、化石燃料としての機能が妨げられず、かつ、化石燃料の燃焼時に排出される二酸化炭素量が低減される効果が妨げられない限り、本発明の植物繊維の乾燥粉末以外に任意の成分を含んでいてもよい。【００２７】
＜３＞本発明の植物繊維の乾燥粉末の製造法
本発明の別の態様は、以下の工程を含む、植物繊維の乾燥粉末の製造法である。
（A）植物繊維を含む物質を粉砕して粒径１〜８０μｍの粉末とする工程、
（B）その粉末の水分含量が１０重量％未満、好ましくは５重量％未満になるように乾燥し、乾燥粉末を得る工程、
（C）底部と側面部と蓋部からなり、底部および側面部に穴部を有する容器を準備する工程、
（D）その容器の穴部ではない部分の底部に前記乾燥粉末を置き、容器の底部の穴部から送風しながら、側面の穴部から容器内部の気体を吸い取ることによって、１５μｍ未満の乾燥粉末を選別する工程。
上記製造法において、（B）の乾燥は、（A）の粉砕より先に行ってもよいし、（A）の粉砕と同時に行っても良い。また、植物繊維を含む物質の水分含量がすでに１０重量％未満又は５重量％未満である場合は、（B）の乾燥工程を省略してもよい。
【００２８】
また、この植物繊維の乾燥粉末の製造法は、挟雑成分を植物繊維から除去する工程、植物繊維を含む物質又はその乾燥粉末を圧縮比４：１〜６：１（好ましくは６：１）で圧縮する工程のいずれか又はその両方をさらに含んでいなくてもよいが、含んでいることが好ましい。本方法の具体的な内容は、＜１＞に前述した通りである。
【００２９】
＜４＞化石燃料を燃焼した場合に化石燃料から排出される二酸化炭素の量を減少させる方法
本発明の別の態様は、化石燃料に植物繊維の乾燥粉末を含有させることによって、化石燃料を燃焼した場合に化石燃料から排出される二酸化炭素の量を減少させる方法である。本方法の具体的な内容は、＜１＞に前述した通りである。
【実施例】
【００３０】
以下、本発明を実施例によりさらに具体的に説明する。
（製造例１）植物繊維の乾燥粉末の製造および、それを含む重油の作製
ココナツヤシの内果皮及び胚を除去するため、ココナツを真水中に約１０〜１６ヶ月間浸し、肉質を溶解除去して繊維分を採取した。次いで、紐・網・ロープ等の製造に用いられる時に出る線維の滓を天日に約２年以上さらし、含まれる塩分やタンニンを除き、さらに８０℃の熱風による強制乾燥を１５時間以上行って、水分含有率を１０％にまで低下させた。次いで、その線維を用いた製網時に排出する長さ５〜１０ｍｍの微細片を集め、これをプレス機を用いて圧縮比６：１で圧縮処理した。こうして得られた圧縮物を粉砕機により粉砕した後、ハンマーミル、ジェットミル、ボールミルを順に用いて粉末加工した。その後、その粉末を４００メッシュの篩により分級し、４００メッシュ通過のココナツ中果皮繊維滓圧縮乾燥粉末を得た。このようにして得られたココナツ中果皮繊維滓圧縮乾燥粉末の粒子径は、約１５μｍ以下であった。
次に、底部と側面部と蓋部からなり、底部および側面部に穴部（底部からの高さ約３ｍ）を有する容器を準備し、その容器の穴部ではない部分の底部に、得られたココナツ中果皮繊維滓圧縮乾燥粉末を置き、容器の底部の穴部から送風（風速約３ｍ／分）しながら、側面の穴部から容器内部の気体を吸い取った。このようにして得られたココナツ中果皮繊維滓圧縮乾燥粉末の粒子径は、約３μｍ以下であった。
【００３１】
上記製造例で得られた粒子径約３μｍ以下のココナツ中果皮繊維滓圧縮乾燥粉末を、重油に対して０．３重量％添加して混合し、ココナツ中果皮繊維滓圧縮乾燥粉末を含有する重油を作製した。
【００３２】
（実施例１）ココナツ中果皮繊維滓圧縮乾燥粉末を含有する重油の燃焼時に排出される二酸化炭素量の測定
上述の製造例のココナツ中果皮繊維滓圧縮乾燥粉末を含有する重油の燃焼時に排出される二酸化炭素量の測定は、財団法人化学技術戦略推進機構の高分子試験・評価センターに依頼した。試験は、ＪＩＳ Ｋ ７２１７（プラスチック燃焼ガスの分析方法）にしたがって行われた。その結果、上述の製造例のココナツ中果皮繊維滓圧縮乾燥粉末を含有する重油１ｇを燃焼させると、１．１ｇの二酸化炭素が排出された。重油１ｇを燃焼させると、約２．７ｇの二酸化炭素が排出されると言われていることを考えると、本発明のココナツ中果皮繊維滓圧縮乾燥粉末を含有する重油では燃焼時の二酸化炭素排出量が大幅に低減されていると考えられた。【００３３】
（製造例２）木材乾燥粉末の製造および、それを含む重油の作製
スギの材木をのこぎりで切断する際に生じる木くずを集め、これを石うすで粉末加工した。その後、その粉末を４００メッシュの篩により分級し、４００メッシュ通過の木材乾燥粉末を得た。このようにして得られた木材乾燥粉末の粒子径は、約１５μｍ以下であった。
次に、底部と側面部と蓋部からなり、底部および側面部に穴部（底部からの高さ約３ｍ）を有する容器を準備し、その容器の穴部ではない部分の底部に、得られた木材乾燥粉末を置き、容器の底部の穴部から送風（風速約３ｍ／分）しながら、側面の穴部から容器内部の気体を吸い取った。このようにして得られた木材乾燥粉末の粒子径は、約３μｍ以下であった。
【００３４】
上記製造例で得られた粒子径約３μｍ以下の木材乾燥粉末を、重油に対して１．０重量％添加して混合し、木材乾燥粉末を含有する重油を作製した。
【００３５】
（実施例２）木材乾燥粉末を含有する重油の燃焼時に排出される二酸化炭素量の測定
木粉末
上述の製造例２の木材乾燥粉末を含有する重油の燃焼時に排出される二酸化炭素量の測定は、財団法人化学技術戦略推進機構の高分子試験・評価センターに依頼した。試験は、ＪＩＳ Ｋ ７２１７（プラスチック燃焼ガスの分析方法）にしたがって行われた。その結果、上述の製造例の木材乾燥粉末を含有する重油１ｇを燃焼させると、１．２ｇの二酸化炭素が排出された。重油１ｇを燃焼させると、約２．７ｇの二酸化炭素が排出されると言われていることを考えると、本発明の木材乾燥粉末を含有する重油では燃焼時の二酸化炭素排出量が大幅に低減されていると考えられた。
【産業上の利用可能性】
【００３６】
本発明の植物繊維の乾燥粉末は、化石燃料を燃焼させる様々な設備で用いることができる。本発明の植物繊維の乾燥粉末を用いると、化石燃料を燃焼させた場合に化石燃料から排出される二酸化炭素量が低減されているため、地球温暖化対策に非常に有用である。